(57)【要約】【課題】節電要請に従った電力消費の抑制をより確実に行なうことが可能な需要家装置、電力消費管理装置、電力消費管理システム、電力消費管理方法および電力消費管理プログラムを提供する。【解決手段】電力需要施設において用いられる需要家装置であって、電力消費の抑制を要求するための指示情報を取得する取得部と、前記取得部によって前記指示情報が取得されたことに応答して、前記電力需要施設におけるコジェネレーション機器を起動するための処理を開始する制御部とを備える。【選択図】図２
2016116424.tif 000002
【特許請求の範囲】
【請求項１】
電力需要施設において用いられる需要家装置であって、
電力消費の抑制を要求するための指示情報を取得する取得部と、
前記取得部によって前記指示情報が取得されたことに応答して、前記電力需要施設におけるコジェネレーション機器を起動するための処理を開始する制御部とを備える、需要家装置。
【請求項２】
前記制御部は、前記処理において、前記コジェネレーション機器による電気以外の供給に対する需要が無いかまたは少ないと判断した場合、前記コジェネレーション機器を起動しないことを決定する、請求項１に記載の需要家装置。
【請求項３】
前記制御部は、前記処理において、前記抑制に対して与えられる対価と前記コジェネレーション機器の発電に要するコストとを比較し、比較結果に基づいて、前記コジェネレーション機器を起動するか否かを決定する、請求項１または請求項２に記載の需要家装置。
【請求項４】
前記コジェネレーション機器は湯を供給し、
前記制御部は、前記処理において、湯の需要量に対して湯の残量が足りないと判断した場合、前記コジェネレーション機器を起動することを決定する、請求項１から請求項３のいずれか１項に記載の需要家装置。
【請求項５】
電力需要施設における電力消費を管理する電力消費管理装置であって、
電力消費の目標を示す電力管理情報を取得する取得部と、
前記取得部によって前記電力管理情報が取得された場合に、第１の電力需要施設において用いられる需要家装置に、電力消費の抑制を要求するための指示情報を通知する指示部と、
前記第１の電力需要施設による前記目標の達成を判断する判断部とを備え、
前記指示部は、前記目標を達成できないと前記判断部が判断した場合、コジェネレーション機器が設けられている第２の電力需要施設において用いられる需要家装置に、電力消費の抑制を要求するための指示情報を通知する、電力消費管理装置。
【請求項６】
電力需要施設における電力消費を管理する電力消費管理装置と、
前記電力需要施設において用いられる需要家装置とを備え、
前記電力消費管理装置は、電力消費の目標を示す電力管理情報を受信して、第１の電力需要施設において用いられる需要家装置へ、電力消費の抑制を要求するための指示情報を送信し、
前記第１の電力需要施設において用いられる需要家装置は、前記電力消費管理装置から前記指示情報を受信して、受信した前記指示情報に対する応答情報を前記電力消費管理装置へ送信し、
前記電力消費管理装置は、前記第１の電力需要施設において用いられる需要家装置から前記応答情報を受信して、コジェネレーション機器が設けられている第２の電力需要施設において用いられる需要家装置へ、電力消費の抑制を要求するための指示情報を送信する、電力消費管理システム。
【請求項７】
前記電力消費管理装置は、前記第１の電力需要施設において用いられる需要家装置から前記応答情報を受信して、前記目標を達成できないと判断した場合、前記第２の電力需要施設において用いられる需要家装置へ、電力消費の抑制を要求するための指示情報を送信する、請求項６に記載の電力消費管理システム。
【請求項８】
電力需要施設において用いられる需要家装置における電力消費管理方法であって、
電力消費の抑制を要求するための指示情報を取得するステップと、
前記指示情報が取得されたことに応答して、前記電力需要施設におけるコジェネレーション機器を起動するための処理を開始するステップとを含む、電力消費管理方法。
【請求項９】
電力需要施設における電力消費を管理する電力消費管理装置における電力消費管理方法であって、
電力消費の目標を示す電力管理情報を取得するステップと、
前記電力管理情報が取得された場合に、第１の電力需要施設において用いられる需要家装置に、電力消費の抑制を要求するための指示情報を通知するステップと、
前記第１の電力需要施設による前記目標の達成を判断するステップと、
前記目標を達成できないと判断した場合、コジェネレーション機器が設けられている第２の電力需要施設において用いられる需要家装置に、電力消費の抑制を要求するための指示情報を通知するステップとを含む、電力消費管理方法。
【請求項１０】
電力需要施設における電力消費を管理する電力消費管理装置と、前記電力需要施設において用いられる需要家装置とを備える電力消費管理システムにおける電力消費管理方法であって、
前記電力消費管理装置が、電力消費の目標を示す電力管理情報を受信して、第１の電力需要施設において用いられる需要家装置へ、電力消費の抑制を要求するための指示情報を送信するステップと、
前記第１の電力需要施設において用いられる需要家装置が、前記電力消費管理装置から前記指示情報を受信して、受信した前記指示情報に対する応答情報を前記電力消費管理装置へ送信するステップと、
前記電力消費管理装置が、前記第１の電力需要施設において用いられる需要家装置から前記応答情報を受信して、コジェネレーション機器が設けられている第２の電力需要施設において用いられる需要家装置へ、電力消費の抑制を要求するための指示情報を送信するするステップとを含む、電力消費管理方法。
【請求項１１】
電力需要施設において用いられる需要家装置において用いられる電力消費管理プログラムであって、コンピュータに、
電力消費の抑制を要求するための指示情報を取得するステップと、
前記指示情報が取得されたことに応答して、前記電力需要施設におけるコジェネレーション機器を起動するための処理を開始するステップとを実行させるための、電力消費管理プログラム。
【請求項１２】
電力需要施設における電力消費を管理する電力消費管理装置において用いられる電力消費管理プログラムであって、コンピュータに、
電力消費の目標を示す電力管理情報を取得するステップと、
前記電力管理情報が取得された場合に、第１の電力需要施設において用いられる需要家装置に、電力消費の抑制を要求するための指示情報を通知するステップと、
前記第１の電力需要施設による前記目標の達成を判断するステップと、
前記目標を達成できないと判断した場合、コジェネレーション機器が設けられている第２の電力需要施設において用いられる需要家装置に、電力消費の抑制を要求するための指示情報を通知するステップとを実行させるための、電力消費管理プログラム。
【発明の詳細な説明】
【技術分野】
【０００１】
本発明は、需要家装置、電力消費管理装置、電力消費管理システム、電力消費管理方法および電力消費管理プログラムに関し、特に、電力需要施設における電力消費を抑制する需要家装置、電力消費管理装置、電力消費管理システム、電力消費管理方法および電力消費管理プログラムに関する。
【背景技術】
【０００２】
従来、電力需給が逼迫している場合等に一般家庭およびオフィス等の電力需要施設における電力消費が抑制されるように、電力需要施設における電力消費を管理するシステムが開発されている。
【０００３】
たとえば、特許文献１（特開２０１２−２０５３５８号公報）には、以下のような技術が開示されている。すなわち、電力管理システムは、予め登録された複数の参加者を含むコミュニティに関する参加者リストを保持する保持部と、電力削減制御の実行の要否を判定する判定部と、電力削減制御の実行が必要であると判定部が判定した場合に、参加者リストに含まれている複数の参加者の中から、電力削減制御の対象となる一以上の対象者を選定する選定部と、選定部によって選定された対象者に関して、電力削減制御を実行する制御部と、電力削減制御が実行された対象者に対して、削減電力に基づく特典を付与する付与部とを備える。
【０００４】
また、節電を目的として、ビル等の電力需要施設へのＥＭＳ（Ｅｎｅｒｇｙ  Ｍａｎａｇｅｍｅｎｔ  Ｓｙｓｔｅｍ）の導入が行われている。
【０００５】
ＥＭＳとは、電力需要施設における消費電力量を監視し、電力需要施設における機器または設備等の運転状態を管理することによって、電力需要施設における電力消費の抑制を図るためのシステムである。
【０００６】
ＥＭＳは、たとえばアグリゲータと呼ばれる事業者によって導入される。アグリゲータは、ＥＭＳを導入した電力需要施設に対してエネルギー管理支援サービスを提供する。
【先行技術文献】
【特許文献】
【０００７】
【特許文献１】特開２０１２−２０５３５８号公報
【特許文献２】特許第４１４８４１９号公報
【発明の概要】
【発明が解決しようとする課題】
【０００８】
電力会社および系統運用会社等の系統側事業者は、多くの電力需要施設にＥＭＳが導入されることにより、全体的な電力需要を広範囲に調整することが容易となる。
【０００９】
たとえば、系統側事業者は、電力需給の逼迫が予測される場合に、アグリゲータに対して予め節電要請を行なう。そして、アグリゲータは、電力需要施設の需要家に対して節電要請を行なう。
【００１０】
このようなシステムにおいて、当該節電要請に従った電力消費の抑制をより確実に行なう技術が望まれる。
【００１１】
この発明は、上述の課題を解決するためになされたもので、その目的は、節電要請に従った電力消費の抑制をより確実に行なうことが可能な需要家装置、電力消費管理装置、電力消費管理システム、電力消費管理方法および電力消費管理プログラムを提供することである。
【課題を解決するための手段】
【００１２】
（１）上記課題を解決するために、この発明のある局面に係わる需要家装置は、電力需要施設において用いられる需要家装置であって、電力消費の抑制を要求するための指示情報を取得する取得部と、前記取得部によって前記指示情報が取得されたことに応答して、前記電力需要施設におけるコジェネレーション機器を起動するための処理を開始する制御部とを備える。
【００１３】
（５）上記課題を解決するために、この発明のある局面に係わる電力消費管理装置は、電力需要施設における電力消費を管理する電力消費管理装置であって、電力消費の目標を示す電力管理情報を取得する取得部と、前記取得部によって前記電力管理情報が取得された場合に、第１の電力需要施設において用いられる需要家装置に、電力消費の抑制を要求するための指示情報を通知する指示部と、前記第１の電力需要施設による前記目標の達成を判断する判断部とを備え、前記指示部は、前記目標を達成できないと前記判断部が判断した場合、コジェネレーション機器が設けられている第２の電力需要施設において用いられる需要家装置に、電力消費の抑制を要求するための指示情報を通知する。
【００１４】
（６）上記課題を解決するために、この発明のある局面に係わる電力消費管理システムは、電力需要施設における電力消費を管理する電力消費管理装置と、前記電力需要施設において用いられる需要家装置とを備え、前記電力消費管理装置は、電力消費の目標を示す電力管理情報を受信して、第１の電力需要施設において用いられる需要家装置へ、電力消費の抑制を要求するための指示情報を送信し、前記第１の電力需要施設において用いられる需要家装置は、前記電力消費管理装置から前記指示情報を受信して、受信した前記指示情報に対する応答情報を前記電力消費管理装置へ送信し、前記電力消費管理装置は、前記第１の電力需要施設において用いられる需要家装置から前記応答情報を受信して、コジェネレーション機器が設けられている第２の電力需要施設において用いられる需要家装置へ、電力消費の抑制を要求するための指示情報を送信する。
【００１５】
（８）上記課題を解決するために、この発明のある局面に係わる電力消費管理方法は、電力需要施設において用いられる需要家装置における電力消費管理方法であって、電力消費の抑制を要求するための指示情報を取得するステップと、前記指示情報が取得されたことに応答して、前記電力需要施設におけるコジェネレーション機器を起動するための処理を開始するステップとを含む。
【００１６】
（９）またこの発明の別の局面に係わる電力消費管理方法は、電力需要施設における電力消費を管理する電力消費管理装置における電力消費管理方法であって、電力消費の目標を示す電力管理情報を取得するステップと、前記電力管理情報が取得された場合に、第１の電力需要施設において用いられる需要家装置に、電力消費の抑制を要求するための指示情報を通知するステップと、前記第１の電力需要施設による前記目標の達成を判断するステップと、前記目標を達成できないと判断した場合、コジェネレーション機器が設けられている第２の電力需要施設において用いられる需要家装置に、電力消費の抑制を要求するための指示情報を通知するステップとを含む。
【００１７】
（１０）またこの発明の別の局面に係わる電力消費管理方法は、電力需要施設における電力消費を管理する電力消費管理装置と、前記電力需要施設において用いられる需要家装置とを備える電力消費管理システムにおける電力消費管理方法であって、前記電力消費管理装置が、電力消費の目標を示す電力管理情報を受信して、第１の電力需要施設において用いられる需要家装置へ、電力消費の抑制を要求するための指示情報を送信するステップと、前記第１の電力需要施設において用いられる需要家装置が、前記電力消費管理装置から前記指示情報を受信して、受信した前記指示情報に対する応答情報を前記電力消費管理装置へ送信するステップと、前記電力消費管理装置が、前記第１の電力需要施設において用いられる需要家装置から前記応答情報を受信して、コジェネレーション機器が設けられている第２の電力需要施設において用いられる需要家装置へ、電力消費の抑制を要求するための指示情報を送信するするステップとを含む。
【００１８】
（１１）上記課題を解決するために、この発明のある局面に係わる電力消費管理プログラムは、電力需要施設において用いられる需要家装置において用いられる電力消費管理プログラムであって、コンピュータに、電力消費の抑制を要求するための指示情報を取得するステップと、前記指示情報が取得されたことに応答して、前記電力需要施設におけるコジェネレーション機器を起動するための処理を開始するステップとを実行させるためのプログラムである。
【００１９】
（１２）またこの発明の別の局面に係わる電力消費管理プログラムは、電力需要施設における電力消費を管理する電力消費管理装置において用いられる電力消費管理プログラムであって、コンピュータに、電力消費の目標を示す電力管理情報を取得するステップと、前記電力管理情報が取得された場合に、第１の電力需要施設において用いられる需要家装置に、電力消費の抑制を要求するための指示情報を通知するステップと、前記第１の電力需要施設による前記目標の達成を判断するステップと、前記目標を達成できないと判断した場合、コジェネレーション機器が設けられている第２の電力需要施設において用いられる需要家装置に、電力消費の抑制を要求するための指示情報を通知するステップとを実行させるためのプログラムである。
【００２０】
本発明は、このような特徴的な処理部を備える需要家装置として実現できるだけでなく、需要家装置の一部または全部を実現する半導体集積回路として実現することができる。
【００２１】
また、本発明は、このような特徴的な処理部を備える電力消費管理装置として実現できるだけでなく、電力消費管理装置の一部または全部を実現する半導体集積回路として実現することができる。
【００２２】
また、本発明は、このような特徴的な処理部を備える電力消費管理システムとして実現できるだけでなく、かかる特徴的な処理のステップをコンピュータに実行させるためのプログラムとして実現したり、電力消費管理システムの一部または全部を実現する半導体集積回路として実現したりすることができる。
【発明の効果】
【００２３】
本発明によれば、節電要請に従った電力消費の抑制をより確実に行なうことができる。
【図面の簡単な説明】
【００２４】
【図１】図１は、本発明の第１の実施の形態に係る電力消費管理システムの適用例を説明するための図である。
【図２】図２は、本発明の第１の実施の形態に係る電力消費管理システムの構成を示す図である。
【図３】図３は、本発明の第１の実施の形態に係る電力消費管理装置の構成を示す図である。
【図４】図４は、本発明の第１の実施の形態に係る電力消費管理システムにおける需要家装置の構成を示す図である。
【図５】図５は、本発明の第１の実施の形態に係る電力消費管理装置による電力管理情報の処理の手順を定めたフローチャートである。
【図６】図６は、本発明の第１の実施の形態に係る電力消費管理システムにおける電力消費の抑制処理のシーケンスの一例を示す図である。
【図７】図７は、本発明の第１の実施の形態に係る需要家装置によるコジェネレーション機器を起動するための判断処理の手順を定めたフローチャートである。
【図８】図８は、本発明の第２の実施の形態に係る電力消費管理システムの構成を示す図である。
【図９】図９は、本発明の第２の実施の形態に係る電力消費管理装置による電力管理情報の処理の手順を定めたフローチャートである。
【図１０】図１０は、本発明の第２の実施の形態に係る電力消費管理システムにおける電力消費の抑制処理のシーケンスの一例を示す図である。
【発明を実施するための形態】
【００２５】
最初に、本発明の実施形態の内容を列記して説明する。
【００２６】
（１）本発明の実施の形態に係る需要家装置は、電力需要施設において用いられる需要家装置であって、電力消費の抑制を要求するための指示情報を取得する取得部と、前記取得部によって前記指示情報が取得されたことに応答して、前記電力需要施設におけるコジェネレーション機器を起動するための処理を開始する制御部とを備える。
【００２７】
このような構成により、たとえば、デマンドレスポンス、ネガワットおよびコジェネレーションが連携する優れたシステムを構築することができる。すなわち、コジェネレーションシステム単体にとどまらず、たとえば、デマンドレスポンスの情報を考慮して、全体として最適化されたシステムを構築し、ネガワットを達成することができる。具体的には、コジェネレーション機器を予定通りのタイミングで起動するのではなく、節電要請に応答して予定外のタイミングで起動することにより、節電要請に対してコジェネレーション機器を有効に活用し、電気機器の使用制限等の需要家への大きな負担を生じさせることなく節電目標を達成することができる。すなわち、単に節電目標を達成するだけでなく、節電要請を受けた需要家への負担を軽減しながら、たとえば需要家が節電のインセンティブを得ることができる。したがって、節電要請に従った電力消費の抑制をより確実に行なうことができる。
【００２８】
（２）好ましくは、前記制御部は、前記処理において、前記コジェネレーション機器による電気以外の供給に対する需要が無いかまたは少ないと判断した場合、前記コジェネレーション機器を起動しないことを決定する。
【００２９】
このような構成により、コジェネレーション機器による電気以外の供給の必要性が低い場合に、コジェネレーション機器を無理に動作させてたとえば電力需要施設におけるコストが増大することを防ぐことができる。また、たとえば、電力需要施設の需要家および系統側事業者間の契約に応じて、需要家の節電義務のレベルを柔軟に設定することができる。
【００３０】
（３）好ましくは、前記制御部は、前記処理において、前記抑制に対して与えられる対価と前記コジェネレーション機器の発電に要するコストとを比較し、比較結果に基づいて、前記コジェネレーション機器を起動するか否かを決定する。
【００３１】
このような構成により、節電要請を受けて節電を行なう際における需要家への負担を軽減することができる。具体的には、たとえば、節電目標を達成するために電力需要施設におけるコストが増大してしまうことを防ぐことができる。また、たとえば、コジェネレーション機器による電気以外の供給の必要性が低い場合でも、需要家のコストが増大しない範囲でコジェネレーション機器を有効に活用することができる。
【００３２】
（４）好ましくは、前記コジェネレーション機器は湯を供給し、前記制御部は、前記処理において、湯の需要量に対して湯の残量が足りないと判断した場合、前記コジェネレーション機器を起動することを決定する。
【００３３】
このような構成により、ガス料金のかかる湯の供給を適切に行なうことができる。具体的には、たとえば、不要な湯の供給によるガス料金の増大を防ぐことができる。また、節電目標を達成することによって、電気およびガス等の光熱費が、湯の保温等のために結果として増大してしまうことを防ぐことができる。
【００３４】
（５）本発明の実施の形態に係る電力消費管理装置は、電力需要施設における電力消費を管理する電力消費管理装置であって、電力消費の目標を示す電力管理情報を取得する取得部と、前記取得部によって前記電力管理情報が取得された場合に、第１の電力需要施設において用いられる需要家装置に、電力消費の抑制を要求するための指示情報を通知する指示部と、前記第１の電力需要施設による前記目標の達成を判断する判断部とを備え、前記指示部は、前記目標を達成できないと前記判断部が判断した場合、コジェネレーション機器が設けられている第２の電力需要施設において用いられる需要家装置に、電力消費の抑制を要求するための指示情報を通知する。
【００３５】
このような構成により、たとえば、デマンドレスポンス、ネガワットおよびコジェネレーションが連携する優れたシステムを構築することができる。すなわち、コジェネレーションシステム単体にとどまらず、たとえばデマンドレスポンスの情報を考慮して、全体として最適化されたシステムを構築し、ネガワットを達成することができる。具体的には、コジェネレーション機器を予定通りのタイミングで起動するのではなく、節電要請に応答して予定外のタイミングで起動し、節電要請に対してコジェネレーション機器を有効に活用することができる。したがって、節電要請に従った電力消費の抑制をより確実に行なうことができる。
【００３６】
（６）本発明の実施の形態に係る電力消費管理システムは、電力需要施設における電力消費を管理する電力消費管理装置と、前記電力需要施設において用いられる需要家装置とを備え、前記電力消費管理装置は、電力消費の目標を示す電力管理情報を受信して、第１の電力需要施設において用いられる需要家装置へ、電力消費の抑制を要求するための指示情報を送信し、前記第１の電力需要施設において用いられる需要家装置は、前記電力消費管理装置から前記指示情報を受信して、受信した前記指示情報に対する応答情報を前記電力消費管理装置へ送信し、前記電力消費管理装置は、前記第１の電力需要施設において用いられる需要家装置から前記応答情報を受信して、コジェネレーション機器が設けられている第２の電力需要施設において用いられる需要家装置へ、電力消費の抑制を要求するための指示情報を送信する。
【００３７】
このような構成により、たとえば、デマンドレスポンス、ネガワットおよびコジェネレーションが連携する優れたシステムを構築することができる。すなわち、コジェネレーションシステム単体にとどまらず、たとえばデマンドレスポンスの情報を考慮して、全体として最適化されたシステムを構築し、ネガワットを達成することができる。具体的には、コジェネレーション機器を予定通りのタイミングで起動するのではなく、節電要請に応答して予定外のタイミングで起動し、節電要請に対してコジェネレーション機器を有効に活用することができる。したがって、節電要請に従った電力消費の抑制をより確実に行なうことができる。
【００３８】
（７）好ましくは、前記電力消費管理装置は、前記第１の電力需要施設において用いられる需要家装置から前記応答情報を受信して、前記目標を達成できないと判断した場合、前記第２の電力需要施設において用いられる需要家装置へ、電力消費の抑制を要求するための指示情報を送信する。
【００３９】
（８）本発明の実施の形態に係る電力消費管理方法は、電力需要施設において用いられる需要家装置における電力消費管理方法であって、電力消費の抑制を要求するための指示情報を取得するステップと、前記指示情報が取得されたことに応答して、前記電力需要施設におけるコジェネレーション機器を起動するための処理を開始するステップとを含む。
【００４０】
このような構成により、たとえば、デマンドレスポンス、ネガワットおよびコジェネレーションが連携する優れたシステムを構築することができる。すなわち、コジェネレーションシステム単体にとどまらず、たとえば、デマンドレスポンスの情報を考慮して、全体として最適化されたシステムを構築し、ネガワットを達成することができる。具体的には、コジェネレーション機器を予定通りのタイミングで起動するのではなく、節電要請に応答して予定外のタイミングで起動することにより、節電要請に対してコジェネレーション機器を有効に活用し、電気機器の使用制限等の需要家への大きな負担を生じさせることなく節電目標を達成することができる。すなわち、単に節電目標を達成するだけでなく、節電要請を受けた需要家への負担を軽減しながら、たとえば需要家が節電のインセンティブを得ることができる。したがって、節電要請に従った電力消費の抑制をより確実に行なうことができる。
【００４１】
（９）本発明の実施の形態に係る電力消費管理方法は、電力需要施設における電力消費を管理する電力消費管理装置における電力消費管理方法であって、電力消費の目標を示す電力管理情報を取得するステップと、前記電力管理情報が取得された場合に、第１の電力需要施設において用いられる需要家装置に、電力消費の抑制を要求するための指示情報を通知するステップと、前記第１の電力需要施設による前記目標の達成を判断するステップと、前記目標を達成できないと判断した場合、コジェネレーション機器が設けられている第２の電力需要施設において用いられる需要家装置に、電力消費の抑制を要求するための指示情報を通知するステップとを含む。
【００４２】
このような構成により、たとえば、デマンドレスポンス、ネガワットおよびコジェネレーションが連携する優れたシステムを構築することができる。すなわち、コジェネレーションシステム単体にとどまらず、たとえばデマンドレスポンスの情報を考慮して、全体として最適化されたシステムを構築し、ネガワットを達成することができる。具体的には、コジェネレーション機器を予定通りのタイミングで起動するのではなく、節電要請に応答して予定外のタイミングで起動し、節電要請に対してコジェネレーション機器を有効に活用することができる。したがって、節電要請に従った電力消費の抑制をより確実に行なうことができる。
【００４３】
（１０）本発明の実施の形態に係る電力消費管理方法は、電力需要施設における電力消費を管理する電力消費管理装置と、前記電力需要施設において用いられる需要家装置とを備える電力消費管理システムにおける電力消費管理方法であって、前記電力消費管理装置が、電力消費の目標を示す電力管理情報を受信して、第１の電力需要施設において用いられる需要家装置へ、電力消費の抑制を要求するための指示情報を送信するステップと、前記第１の電力需要施設において用いられる需要家装置が、前記電力消費管理装置から前記指示情報を受信して、受信した前記指示情報に対する応答情報を前記電力消費管理装置へ送信するステップと、前記電力消費管理装置が、前記第１の電力需要施設において用いられる需要家装置から前記応答情報を受信して、コジェネレーション機器が設けられている第２の電力需要施設において用いられる需要家装置へ、電力消費の抑制を要求するための指示情報を送信するするステップとを含む。
【００４４】
このような構成により、たとえば、デマンドレスポンス、ネガワットおよびコジェネレーションが連携する優れたシステムを構築することができる。すなわち、コジェネレーションシステム単体にとどまらず、たとえばデマンドレスポンスの情報を考慮して、全体として最適化されたシステムを構築し、ネガワットを達成することができる。具体的には、コジェネレーション機器を予定通りのタイミングで起動するのではなく、節電要請に応答して予定外のタイミングで起動し、節電要請に対してコジェネレーション機器を有効に活用することができる。したがって、節電要請に従った電力消費の抑制をより確実に行なうことができる。
【００４５】
（１１）本発明の実施の形態に係る電力消費管理プログラムは、電力需要施設において用いられる需要家装置において用いられる電力消費管理プログラムであって、コンピュータに、電力消費の抑制を要求するための指示情報を取得するステップと、前記指示情報が取得されたことに応答して、前記電力需要施設におけるコジェネレーション機器を起動するための処理を開始するステップとを実行させるためのプログラムである。
【００４６】
このような構成により、たとえば、デマンドレスポンス、ネガワットおよびコジェネレーションが連携する優れたシステムを構築することができる。すなわち、コジェネレーションシステム単体にとどまらず、たとえば、デマンドレスポンスの情報を考慮して、全体として最適化されたシステムを構築し、ネガワットを達成することができる。具体的には、コジェネレーション機器を予定通りのタイミングで起動するのではなく、節電要請に応答して予定外のタイミングで起動することにより、節電要請に対してコジェネレーション機器を有効に活用し、電気機器の使用制限等の需要家への大きな負担を生じさせることなく節電目標を達成することができる。すなわち、単に節電目標を達成するだけでなく、節電要請を受けた需要家への負担を軽減しながら、たとえば需要家が節電のインセンティブを得ることができる。したがって、節電要請に従った電力消費の抑制をより確実に行なうことができる。
【００４７】
（１２）本発明の実施の形態に係る電力消費管理プログラムは、電力需要施設における電力消費を管理する電力消費管理装置において用いられる電力消費管理プログラムであって、コンピュータに、電力消費の目標を示す電力管理情報を取得するステップと、前記電力管理情報が取得された場合に、第１の電力需要施設において用いられる需要家装置に、電力消費の抑制を要求するための指示情報を通知するステップと、前記第１の電力需要施設による前記目標の達成を判断するステップと、前記目標を達成できないと判断した場合、コジェネレーション機器が設けられている第２の電力需要施設において用いられる需要家装置に、電力消費の抑制を要求するための指示情報を通知するステップとを実行させるためのプログラムである。
【００４８】
このような構成により、たとえば、デマンドレスポンス、ネガワットおよびコジェネレーションが連携する優れたシステムを構築することができる。すなわち、コジェネレーションシステム単体にとどまらず、たとえばデマンドレスポンスの情報を考慮して、全体として最適化されたシステムを構築し、ネガワットを達成することができる。具体的には、コジェネレーション機器を予定通りのタイミングで起動するのではなく、節電要請に応答して予定外のタイミングで起動し、節電要請に対してコジェネレーション機器を有効に活用することができる。したがって、節電要請に従った電力消費の抑制をより確実に行なうことができる。
【００４９】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００５０】
＜第１の実施の形態＞
［構成および基本動作］
図１は、本発明の第１の実施の形態に係る電力消費管理システムの適用例を説明するための図である。
【００５１】
図１を参照して、電力会社または系統運用会社等である電力系統側５は、たとえば電力需給の逼迫が予想される期間を対象として、アグリゲータ６に対して節電要請を行なう、具体的には、たとえば、アグリゲータ６に対してデマンドレスポンス（ＤＲ：Ｄｅｍａｎｄ  Ｒｅｓｐｏｎｓｅ）を発行する。アグリゲータ６は、電力系統側５からの節電要請を受けて、１または複数の電力需要施設３に、たとえば当該期間を対象として節電要請を行なう。
【００５２】
電力需要施設３においてアグリゲータ６からの節電要請に従った節電が行われることにより、電力需要施設３は、アグリゲータ６へネガワットすなわち削減された消費電力を提供する。アグリゲータ６は、電力需要施設３から提供されたネガワットを卸電力市場８において販売することにより、ネガワットの対価を得る。
【００５３】
また、電力系統側５は、節電に対するインセンティブすなわち節電要請の対象期間において節電が行われたことに対する報酬をアグリゲータ６に与える。
【００５４】
アグリゲータ６は、卸電力市場８から得たネガワットの対価および電力系統側５から得た節電の報酬を電力需要施設３に分配する。
【００５５】
図２は、本発明の第１の実施の形態に係る電力消費管理システムの構成を示す図である。
【００５６】
図２を参照して、電力消費管理システム３０１は、系統側管理装置２０１と、電力消費管理装置１０１と、１または複数の需要家装置２０２と、１または複数のコジェネレーション機器２５１と、取引市場装置１６１とを備える。
【００５７】
需要家装置２０２は、電力会社から電力の供給を受けるビル、工場または一般家庭等の電力需要施設３において用いられる。電力会社は、たとえば発電事業者または電力小売り事業者である。需要家装置２０２は、たとえばアグリゲータ６によって導入される。
【００５８】
コジェネレーション機器２５１は、電力需要施設３において設けられ、たとえば、ガス等を駆動源とした発電機を含み、当該発電機によって電気を生成しながら、当該発電機の排熱を利用して給湯および暖房等を行なう。以下、コジェネレーション機器２５１が、ガスを用いて発電および給湯を行なう機器であると仮定して説明する。
【００５９】
電力消費管理装置１０１は、たとえばアグリゲータ６によって運用され、１または複数の電力需要施設３における需要家装置２０２と通信を行なうことにより、各需要家装置２０２が用いられる電力需要施設３における電力消費を管理する。
【００６０】
系統側管理装置２０１は、電力系統側５によって運用され、電力消費に関する情報である電力管理情報を電力消費管理装置１０１へ送信する。電力管理情報は、たとえば、アグリゲータ６が参加可能な節電イベントの内容を示す。
【００６１】
具体的には、電力管理情報は、節電イベントの内容として、たとえば、電力消費を抑制すべき要請期間、および要請期間において、配下の電力需要施設３が削減すべき消費電力の目標である要請目標を示す。アグリゲータ６は、たとえば、要請目標を達成できると判断した場合、節電イベントに参加する。
【００６２】
なお、電力管理情報は、さらに、時間ごとの電力料金の単価を示してもよい。また、要請目標は、削減すべき消費電力量であってもよいし、削減率または削減割合であってもよいし、消費電力量の上限値等であってもよい。
【００６３】
電力消費管理装置１０１は、系統側管理装置２０１から受信した電力管理情報に基づいて、電力需要施設３における電力消費の抑制を要求するための指示情報を作成し、作成した指示情報を１または複数の電力需要施設３における需要家装置２０２へ送信する。
【００６４】
指示情報は、たとえば、電力需要施設３が参加可能な節電イベントの内容を示す。具体的には、指示情報は、電力需要施設３において消費電力を削減すべき期間である節電期間、および当該節電期間において削減すべき消費電力の目標である節電目標を示す。
【００６５】
なお、指示情報は、さらに、時間ごとの電気料金の単価を示してもよい。また、節電目標は、削減すべき消費電力であってもよいし、削減率または削減割合であってもよいし、消費電力量の上限値等であってもよい。
【００６６】
電力系統側５は、アグリゲータ６が節電イベントに参加した場合、たとえばアグリゲータ６によって削減された消費電力に応じてアグリゲータ６にインセンティブを与える。電力消費管理装置１０１は、与えられたインセンティブの内容を示すインセンティブ情報を系統側管理装置２０１から取得する。
【００６７】
また、電力消費管理装置１０１は、たとえば、卸電力市場８におけるサーバたとえば卸電力取引所に設置されたサーバである取引市場装置１６１から、卸電力市場８におけるネガワットの取引価格を示す取引価格情報を取得する。
【００６８】
電力消費管理装置１０１は、系統側管理装置２０１からのインセンティブ情報、および取引市場装置１６１からの取引価格情報に基づいて、電力需要施設３における電力消費の削減の対価を示す対価情報を作成し、指示情報の送信先である需要家装置２０２へ送信する。
【００６９】
対価情報は、たとえば、電力需要施設３が節電イベントに参加した場合に、たとえば電力需要施設３において削減された消費電力量に応じた、当該電力需要施設３に与えられる消費電力の削減の対価を示す。
【００７０】
需要家装置２０２は、電力消費管理装置１０１から受信した指示情報に基づいて、指示情報の示す節電イベントに電力需要施設３が参加すべきか否かを判断し、判断結果を示す指示応答情報を電力消費管理装置１０１へ送信する。つまり、指示応答情報は、電力需要施設３が節電イベントに参加するか否かを示す。
【００７１】
需要家装置２０２は、たとえば、節電イベントに参加する旨を示す指示応答情報に、節電期間において自己の電力需要施設３で削減される予定の消費電力量を示す削減量情報を含めて送信する。
【００７２】
電力消費管理装置１０１は、各需要家装置２０２から受信した指示応答情報に基づいて、アグリゲータ６が電力管理情報の示す節電イベントに参加するか否かを判断する。具体的には、たとえば、電力消費管理装置１０１は、各指示応答情報の含む削減量情報に基づいて、要請目標を達成できると判断した場合に、節電イベントに参加すると判断する。
【００７３】
また、電力消費管理装置１０１は、アグリゲータ６が節電イベントに参加するか否かを示す要請応答情報を系統側管理装置２０１へ送信する。電力消費管理装置１０１は、たとえば、節電イベントに参加する旨を示す要請応答情報に、各電力需要施設３において削減される予定の消費電力量の合計値を示す総削減量情報を含めて送信する。
【００７４】
すなわち、電力需要施設３が節電イベントに参加できるのは、たとえば、当該電力需要施設３の需要家装置２０２が節電イベントに参加すると判断し、かつアグリゲータ６における電力消費管理装置１０１が節電イベントに参加すると判断した場合である。
【００７５】
たとえば、需要家装置２０２が節電イベントに参加すると判断した場合であっても、電力消費管理装置１０１が節電イベントに参加しないと判断した場合、当該需要家装置２０２に対応する電力需要施設３は節電イベントに参加できない。
【００７６】
なお、電力消費管理装置１０１は、系統側管理装置２０１、各需要家装置２０２および取引市場装置１６１と直接接続される構成に限らず、他の装置を介して接続される構成であってもよい。
【００７７】
図３は、本発明の第１の実施の形態に係る電力消費管理装置の構成を示す図である。
【００７８】
図３を参照して、電力消費管理装置１０１は、要請応答通知部２１と、参加判断部２２と、指示応答取得部２３と、電力管理情報取得部２４と、指示作成部（指示部）２５と、指示通知部（指示部）２６と、報酬情報取得部２７と、対価情報作成部２８と、市場情報取得部２９と、対価情報通知部３０と、参加通知部３１とを含む。
【００７９】
電力管理情報取得部２４は、電力系統側５から電力消費に関する電力管理情報を取得する。具体的には、電力管理情報取得部２４は、系統側管理装置２０１から送信された電力管理情報を受信して指示作成部２５および参加判断部２２へ出力する。
【００８０】
指示作成部２５および指示通知部２６は、電力管理情報取得部２４によって電力管理情報が取得された場合に、電力需要施設３において用いられる需要家装置２０２に、電力消費の抑制を要求するための指示情報を通知する。
【００８１】
より詳細には、指示作成部２５は、電力管理情報取得部２４から受けた電力管理情報に基づいて、電力需要施設３における電力消費の抑制を要求するための指示情報を作成し、指示通知部２６へ出力する。
【００８２】
指示通知部２６は、指示作成部２５から受けた指示情報を需要家装置２０２に通知する。なお、各需要家装置２０２に通知される指示情報の内容は、同じであってもよいし、異なってもよい。
【００８３】
報酬情報取得部２７は、系統側管理装置２０１からインセンティブ情報を取得して対価情報作成部２８へ出力する。
【００８４】
市場情報取得部２９は、取引市場装置１６１から取引価格情報を取得して対価情報作成部２８へ出力する。たとえば、市場情報取得部２９は、定期的または不定期に取引市場装置１６１から送信される取引価格情報を取得して対価情報作成部２８へ出力する。
【００８５】
対価情報作成部２８は、報酬情報取得部２７から受けたインセンティブ情報および市場情報取得部２９から受けた取引価格情報に基づいて対価情報を作成し、対価情報通知部３０へ出力する。対価情報作成部２８は、たとえば、市場情報取得部２９から新たな取引価格情報を受けるたびに対価情報を更新し、更新後の対価情報を対価情報通知部３０へ出力する。
【００８６】
対価情報通知部３０は、指示情報の通知先の需要家装置２０２を示す情報を指示通知部２６から取得する。そして、対価情報通知部３０は、対価情報作成部２８から受けた対価情報を、指示情報の通知先の需要家装置２０２に通知する。
【００８７】
指示応答取得部２３は、指示情報の通知先の各需要家装置２０２から指示応答情報を取得して参加判断部２２へ出力する。
【００８８】
参加判断部２２は、各電力需要施設３による、電力管理情報の示す目標の達成を判断する。
【００８９】
より詳細には、参加判断部２２は、自己のアグリゲータ６が節電イベントに参加するか否かを判断する。参加判断部２２は、電力管理情報取得部２４から受けた電力管理情報および指示応答取得部２３から受けた各指示応答情報に基づいて、電力管理情報の示す節電イベントに参加するか否か判断する。
【００９０】
具体的には、参加判断部２２は、たとえば、各指示応答情報に含まれる削減量情報に基づいて、要請期間において各電力需要施設３で削減される予定の消費電力量の合計値を求め、当該合計値が要請目標を満たす場合に、節電イベントに参加すると判断する。
【００９１】
また、参加判断部２２は、アグリゲータ６が節電イベントに参加するか否かを示す要請応答情報を作成して要請応答通知部２１へ出力する。参加判断部２２は、節電イベントに参加する旨を示す要請応答情報を要請応答通知部２１へ出力する場合、当該要請応答情報に総削減量情報を含めて出力する。
【００９２】
要請応答通知部２１は、参加判断部２２から受けた要請応答情報を系統側管理装置２０１に通知する。
【００９３】
また、参加判断部２２は、節電イベントに参加すると判断した場合、アグリゲータ６が節電イベントに参加する旨を示すアグリゲータ参加情報を参加通知部３１へ出力する。
【００９４】
参加通知部３１は、参加判断部２２から受けたアグリゲータ参加情報を、節電イベントに参加する電力需要施設３に対応する需要家装置２０２に通知する。
【００９５】
図４は、本発明の第１の実施の形態に係る電力消費管理システムにおける需要家装置の構成を示す図である。
【００９６】
図４を参照して、需要家装置２０２は、取得部１１と、制御部１２と、通知部１３と、センサ１４と、記憶部１５とを備える。なお、センサ１４および記憶部１５の少なくともいずれか一方が、需要家装置２０２の外部に設けられる構成であってもよい。
【００９７】
取得部１１は、電力消費管理装置１０１から送信される指示情報および対価情報を取得して制御部１２へ出力する。制御部１２は、取得部１１から受けた対価情報を記憶部１５に保存する。
【００９８】
センサ１４は、定期的または不定期に、コジェネレーション機器２５１による電気以外の供給Ｓに関する測定を行ない、測定結果を制御部１２に通知する。具体的には、たとえば、センサ１４は、電力需要施設３における風呂等の湯残量を測定し、測定結果を制御部１２に通知する。
【００９９】
電力メータ２４１は、たとえば電力需要施設３における全体の消費電力を測定し、測定結果を制御部１２に通知する。
【０１００】
制御部１２は、センサ１４から通知された測定結果を示す測定情報を記憶部１５に保存する。制御部１２は、記憶部１５に蓄積された測定情報に基づいて、電力需要施設３における供給Ｓに対する需要を予測する。
【０１０１】
また、制御部１２は、コジェネレーション機器２５１の発電に要するコスト情報を取得して記憶部１５に保存する。具体的には、たとえば、制御部１２は、ガス会社から電力需要施設３に供給されるガスの価格情報を取得して記憶部１５に保存する。この場合、ガス料金が、コジェネレーション機器２５１による発電のコストに相当する。
【０１０２】
また、制御部１２は、コジェネレーション機器２５１へ制御信号を送信することにより、コジェネレーション機器２５１を起動させ、また、停止させることが可能である。
【０１０３】
なお、制御部１２は、コジェネレーション機器２５１の発電によって節約された電気料金を算出し、算出結果を需要家に提示する制御を行なう構成であってもよい。
【０１０４】
この場合、制御部１２は、電力会社から電力需要施設３に供給される電力の価格情報をたとえば電力メータ２４１から取得し、電気料金の算出に用いるために記憶部１５に保存する。
【０１０５】
また、制御部１２は、取得部１１によって指示情報が取得されたことに応答して、電力需要施設３におけるコジェネレーション機器２５１を起動するための判断処理を開始する。
【０１０６】
より詳細には、たとえば、制御部１２は、判断処理において、コジェネレーション機器２５１による電気以外の供給Ｓに対する需要が無いかまたは少ないと判断した場合、コジェネレーション機器２５１を起動しないことを決定する。
【０１０７】
具体的には、たとえば、制御部１２は、判断処理において、湯の需要量に対して湯の残量が足りていると判断した場合、コジェネレーション機器２５１を起動しないことを決定する。一方、たとえば、制御部１２は、判断処理において、湯の需要量に対して湯の残量が足りないと判断した場合、コジェネレーション機器２５１を起動することを決定する。
【０１０８】
また、制御部１２は、判断処理において、電力消費の抑制に対して与えられる対価とコジェネレーション機器２５１の発電に要するコストとを比較し、比較結果に基づいて、コジェネレーション機器２５１を起動するか否かを決定する。
【０１０９】
［動作］
次に、本発明の第１の実施の形態に係る電力消費管理システムが電力消費の抑制を行なう際の動作について説明する。
【０１１０】
電力消費管理システム３０１における各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１１１】
図５は、本発明の第１の実施の形態に係る電力消費管理装置による電力管理情報の処理の手順を定めたフローチャートである。
【０１１２】
図５を参照して、まず、電力消費管理装置１０１は、たとえば、要請期間および要請目標を示す電力管理情報を系統側管理装置２０１から受信する（ステップＳ１）。
【０１１３】
次に、電力消費管理装置１０１は、電力管理情報の示す要請目標に基づいて需要家装置２０２ごとの節電目標を示す指示情報を作成し、配下の各需要家装置２０２へ送信する（ステップＳ２）。
【０１１４】
次に、電力消費管理装置１０１は、各需要家装置２０２から受信した応答情報に基づいて、系統側管理装置２０１から受信した電力管理情報の示す要請目標を達成できるか否かの判断を行なう。たとえば、電力消費管理装置１０１は、所定数以上の需要家装置２０２から節電イベントに参加する旨を示す応答情報を受信した場合、要請目標を達成できると判断する（ステップＳ３）。
【０１１５】
電力消費管理装置１０１は、要請目標を達成できると判断した場合（ステップＳ３でＹＥＳ）、節電量を集計する、具体的には、要請期間において各電力需要施設３で削減される予定の消費電力量の合計値を算出する（ステップＳ４）。
【０１１６】
次に、電力消費管理装置１０１は、各電力需要施設３から提供されたネガワットの演算処理を行なう、すなわち卸電力市場８において得られるネガワットの対価を算出する。なお、各電力需要施設３における節電量が少ない場合等には、ネガワットの取引が行なえない場合もあり得る（ステップＳ５）。
【０１１７】
次に、電力消費管理装置１０１は、節電に対するインセンティブの取得処理を行なう、すなわち節電要請の対象期間において節電が行われたことに対する電力系統側５からの報酬を示すインセンティブ情報を取得する（ステップＳ６）。
【０１１８】
一方、電力消費管理装置１０１は、節電目標を達成できないと判断した場合（ステップＳ３でＮＯ）、電力系統側５へのペナルティの支払い処理を行なう、たとえば、節電要請の対象期間において節電が行われなかったことに対して電力系統側５へ支払うべき割増料金または違約金等の額を算出する（ステップＳ７）。
【０１１９】
図６は、本発明の第１の実施の形態に係る電力消費管理システムにおける電力消費の抑制処理のシーケンスの一例を示す図である。図６は、一例として、電力消費管理システム３０１において１つの需要家装置２０２が設けられる場合を示している。
【０１２０】
図６を参照して、まず、系統側管理装置２０１は、たとえば翌日の電力需要を予測し、電力需給が逼迫する可能性が高い場合、電力消費の抑制を行なうべきであると判断する（ステップＳ１０）。
【０１２１】
より詳細には、系統側管理装置２０１は、たとえば、既知の需要予測技術を用いて、具体的にはニューラルネットワークまたは自己回帰分析等の技術を用いて、全体的な電力需要を予測する。あるいは、系統側管理装置２０１は、たとえば、過去Ｘ日分の消費電力量のデータから、特異日を除いたＹ日分の消費電力量の平均値を算出することにより、全体的な電力需要を予測する。
【０１２２】
次に、系統側管理装置２０１は、電力管理情報およびインセンティブ情報を電力消費管理装置１０１へ送信する（ステップＳ１１）。
【０１２３】
次に、取引市場装置１６１は、電力消費管理装置１０１へ取引価格情報を送信する（ステップＳ１２）。
【０１２４】
次に、電力消費管理装置１０１は、系統側管理装置２０１から受信した電力管理情報に基づいて、電力需要施設３における電力消費の抑制を要求するための指示情報を作成する。また、電力消費管理装置１０１は、系統側管理装置２０１から受信したインセンティブ情報および取引市場装置１６１から受信した取引価格情報に基づいて、電力需要施設３における電力消費の削減の対価を示す対価情報を作成する。そして、電力消費管理装置１０１は、作成した指示情報および対価情報を需要家装置２０２へ送信する（ステップＳ１３）。
【０１２５】
なお、電力消費管理装置１０１は、取引市場装置１６１から定期的または不定期に最新の取引価格情報を取得し、取得した取引価格情報に基づいて対価情報を更新し、更新するたびに更新後の対価情報、すなわち最新の対価情報を需要家装置２０２へ送信してもよい。
【０１２６】
次に、需要家装置２０２は、電力消費管理装置１０１から指示情報および対価情報を受信して、受信した指示情報および対価情報に基づいて、対応の電力需要施設３におけるコジェネレーション機器２５１を起動するための判断処理を行なう（ステップＳ１４）。
【０１２７】
次に、需要家装置２０２は、判断処理において、コジェネレーション機器２５１を起動すると判断し、指示情報の示す節電イベントに参加する旨を示す指示応答情報を電力消費管理装置１０１へ送信する（ステップＳ１５）。
【０１２８】
次に、電力消費管理装置１０１は、需要家装置２０２から指示応答情報を受信して、電力管理情報の示す節電イベントにアグリゲータ６が参加するか否かを判断する（ステップＳ１６）。具体的には、電力消費管理装置１０１は、受信した指示応答情報に含まれる削減量情報に基づいて、電力管理情報の示す要請目標を達成可能か否かを判断する。
【０１２９】
電力消費管理装置１０１は、要請目標を達成可能であると判断した場合、系統側管理装置２０１へ電力管理情報の示す節電イベントに参加する旨を示す要請応答情報を送信する（ステップＳ１７）。
【０１３０】
たとえば、電力消費管理装置１０１は、当該判断を電力管理情報の示す要請期間が始まる所定時間前の時刻に行なう。
【０１３１】
また、電力消費管理装置１０１は、節電イベントに参加すると判断した場合、自己へ節電イベントに参加する旨を示す指示応答情報を送信した需要家装置２０２へアグリゲータ参加情報を送信する（ステップＳ１８）。
【０１３２】
需要家装置２０２は、電力消費管理装置１０１からアグリゲータ参加情報を受信して、節電期間の開始タイミングにおいてコジェネレーション機器２５１を起動する制御を行なう（ステップＳ１９）。
【０１３３】
次に、需要家装置２０２は、コジェネレーション機器２５１による供給Ｓに対する需要が無くなったかまたは少なくなったと判断すると、コジェネレーション機器２５１を停止する制御を行なう（ステップＳ２０）。
【０１３４】
次に、需要家装置２０２は、たとえば、コジェネレーション機器２５１を起動した旨、およびコジェネレーション機器２５１の動作によって節電期間において削減された消費電力量を示す節電結果情報を電力消費管理装置１０１へ送信する（ステップＳ２１）。
【０１３５】
なお、需要家装置２０２は、供給Ｓに対する需要に応じて、節電期間中にコジェネレーション機器２５１を停止する制御を行ってもよいし、節電期間の終了後にコジェネレーション機器２５１を停止する制御を行ってもよい。
【０１３６】
また、需要家装置２０２は、コジェネレーション機器２５１を起動すると判断した場合、節電期間の開始タイミングを待つことなくコジェネレーション機器２５１を起動する制御を行なう構成であってもよい。
【０１３７】
図７は、本発明の第１の実施の形態に係る需要家装置によるコジェネレーション機器を起動するための判断処理の手順を定めたフローチャートである。
【０１３８】
図７を参照して、まず、需要家装置２０２は、電力消費管理装置１０１から指示情報を受信すると（ステップＳ２１）、記憶部１５において保存されている対価情報およびコジェネレーション機器２５１の発電に要するコスト情報を取得する（ステップＳ２２）。
【０１３９】
次に、需要家装置２０２は、記憶部１５に蓄積された測定情報に基づいて、電力需要施設３における供給Ｓに対する需要を予測する。具体的には、たとえば、需要家装置２０２は、電力需要施設３において風呂の湯張りが必要となる時刻および湯の使用量を予測し、当該時刻と節電期間との関係から需要を予測する。この場合、需要家装置２０２は、たとえば１日の期間で区切った需要を予測する。また、需要家装置２０２は、たとえば、特許文献２（特許第４１４８４１９号公報）に記載の需要予測技術を用いることも可能である（ステップＳ２３）。
【０１４０】
次に、需要家装置２０２は、取得した対価情報およびコスト情報に基づいて、電力需要施設３における節電の対価とコジェネレーション機器２５１の発電コストとを比較し、節電の対価の方が大きい場合（ステップＳ２４でＹＥＳ）、コジェネレーション機器２５１を起動すると判断する（ステップＳ２６）。
【０１４１】
また、需要家装置２０２は、節電の対価の方が小さい場合でも（ステップＳ２４でＮＯ）、コジェネレーション機器２５１による電気以外の供給に対する需要が多い場合（ステップＳ２５でＮＯ）、コジェネレーション機器２５１を起動すると判断する（ステップＳ２６）。
【０１４２】
需要家装置２０２は、コジェネレーション機器２５１を起動すると判断すると、指示情報の示す節電イベントに参加する旨を示す指示応答情報を電力消費管理装置１０１へ送信する（ステップＳ２６）。
【０１４３】
次に、需要家装置２０２は、節電期間の開始タイミングにおいてコジェネレーション機器２５１を起動する制御を行なう（ステップＳ２７）。
【０１４４】
次に、需要家装置２０２は、コジェネレーション機器２５１による供給Ｓに対する需要が無くなったかまたは少なくなったと判断すると、コジェネレーション機器２５１を停止する制御を行なう（ステップＳ２８）。
【０１４５】
次に、需要家装置２０２は、たとえば、コジェネレーション機器２５１を動作させた旨、およびコジェネレーション機器２５１の動作によって節電期間において削減された消費電力量を示す節電結果情報を電力消費管理装置１０１へ送信する（ステップＳ２９）。
【０１４６】
一方、需要家装置２０２は、電力需要施設３における節電の対価の方がコジェネレーション機器２５１の発電コストよりも小さく（ステップＳ２４でＮＯ）、かつコジェネレーション機器２５１による供給Ｓに対する需要が無いかまたは少ない場合（ステップＳ２５でＹＥＳ）、コジェネレーション機器２５１を起動しないと判断し、指示情報の示す節電イベントに参加しない旨を示す指示応答情報を電力消費管理装置１０１へ送信する（ステップＳ３０）。
【０１４７】
ところで、系統側事業者が、電力需給の逼迫が予測される場合に、アグリゲータに対して予め節電要請を行ない、アグリゲータが、電力需要施設の需要家に対して節電要請を行なうようなシステムにおいて、当該節電要請に従った電力消費の抑制をより確実に行なう技術が望まれる。
【０１４８】
これに対して、本発明の第１の実施の形態に係る需要家装置では、取得部１１は、電力消費の抑制を要求するための指示情報を取得する。そして、制御部１２は、取得部１１によって指示情報が取得されたことに応答して、電力需要施設３におけるコジェネレーション機器２５１を起動するための判断処理を開始する。
【０１４９】
このような構成により、たとえば、デマンドレスポンス、ネガワットおよびコジェネレーションが連携する優れたシステムを構築することができる。すなわち、コジェネレーションシステム単体にとどまらず、たとえば、デマンドレスポンスの情報を考慮して、全体として最適化されたシステムを構築し、ネガワットを達成することができる。具体的には、コジェネレーション機器２５１を予定通りのタイミングで起動するのではなく、節電要請に応答して予定外のタイミングで起動することにより、節電要請に対してコジェネレーション機器２５１を有効に活用し、電気機器の使用制限等の需要家への大きな負担を生じさせることなく節電目標を達成することができる。すなわち、単に節電目標を達成するだけでなく、節電要請を受けた需要家への負担を軽減しながら、たとえば需要家が節電のインセンティブを得ることができる。
【０１５０】
したがって、本発明の第１の実施の形態に係る需要家装置では、節電要請に従った電力消費の抑制をより確実に行なうことができる。
【０１５１】
また、本発明の第１の実施の形態に係る需要家装置では、制御部１２は、判断処理において、コジェネレーション機器２５１による電気以外の供給に対する需要が無いかまたは少ないと判断した場合、コジェネレーション機器２５１を起動しないことを決定する。
【０１５２】
このような構成により、コジェネレーション機器２５１による電気以外の供給の必要性が低い場合に、コジェネレーション機器２５１を無理に動作させてたとえば電力需要施設３におけるコストが増大することを防ぐことができる。また、たとえば、電力需要施設３の需要家および系統側事業者間の契約に応じて、需要家の節電義務のレベルを柔軟に設定することができる。
【０１５３】
また、本発明の第１の実施の形態に係る需要家装置では、制御部１２は、判断処理において、電力消費の抑制に対して与えられる対価とコジェネレーション機器２５１の発電に要するコストとを比較し、比較結果に基づいて、コジェネレーション機器２５１を起動するか否かを決定する。
【０１５４】
このような構成により、節電要請を受けて節電を行なう際における需要家への負担を軽減することができる。具体的には、たとえば、節電目標を達成するために電力需要施設３におけるコストが増大してしまうことを防ぐことができる。また、たとえば、コジェネレーション機器２５１による電気以外の供給の必要性が低い場合でも、需要家のコストが増大しない範囲でコジェネレーション機器２５１を有効に活用することができる。
【０１５５】
また、本発明の第１の実施の形態に係る電力消費管理システムでは、コジェネレーション機器２５１は湯を供給する。そして、本発明の第１の実施の形態に係る需要家装置では、制御部１２は、判断処理において、湯の需要量に対して湯の残量が足りないと判断した場合、コジェネレーション機器２５１を起動することを決定する。
【０１５６】
このような構成により、ガス料金のかかる湯の供給を適切に行なうことができる。具体的には、たとえば、不要な湯の供給によるガス料金の増大を防ぐことができる。また、節電目標を達成することによって、電気およびガス等の光熱費が、湯の保温等のために結果として増大してしまうことを防ぐことができる。
【０１５７】
なお、本発明の第１の実施の形態に係る電力消費管理システムでは、需要家装置２０２は、電力消費管理装置１０１から指示情報を受信したことに応答して、コジェネレーション機器を起動するための判断処理を開始する構成であるとしたが、これに限定するものではない。需要家装置２０２は、電力消費管理装置１０１から指示情報を受信したことに応答して、コジェネレーション機器を起動するための何らかの処理を開始する構成であればよい。具体的には、たとえば、需要家装置２０２は、コジェネレーション機器２５１を起動するか否かをコストおよび需給関係等に基づいて判断することなく、電力消費管理装置１０１から指示情報を受信したことに応答して、節電イベントに参加する旨を示す指示応答情報を電力消費管理装置１０１へ送信し、節電期間の開始タイミングにおいてコジェネレーション機器２５１を起動する制御を行なう構成であってもよい。
【０１５８】
また、需要家装置２０２は、コジェネレーション機器２５１を制御する機能等、制御部１２の機能の一部が別個の装置に設けられる構成であってもよい。
【０１５９】
また、本発明の第１の実施の形態に係る電力消費管理システムでは、電力需要施設３は、一般家庭等、契約電力の小さい小口需要家によって運営される施設であってもよいし、ビルまたは工場等、契約電力の大きい大口需要家によって運営される施設であってもよい。
【０１６０】
また、本発明は、電力消費管理装置を１つ備える電力消費管理システムに限らず、階層化された複数の電力消費管理装置を備える電力消費管理システムに適用することも可能である。
【０１６１】
次に、本発明の他の実施の形態について図面を用いて説明する。なお、図中同一または相当部分には同一符号を付してその説明は繰り返さない。
【０１６２】
＜第２の実施の形態＞
本実施の形態は、第１の実施の形態に係る電力消費管理システムと比べて電力需要施設を区別した処理を行なう電力消費管理システムに関する。以下で説明する内容以外は第１の実施の形態に係る電力消費管理システムと同様である。
【０１６３】
［構成および基本動作］
図８は、本発明の第２の実施の形態に係る電力消費管理システムの構成を示す図である。
【０１６４】
図８を参照して、電力消費管理システム３０２は、系統側管理装置２０１と、電力消費管理装置１０１と、１または複数の需要家装置２０２と、１または複数のコジェネレーション機器２５１と、１または複数の需要家装置２１２と、１または複数の負荷２６１と、取引市場装置１６１とを備える。
【０１６５】
電力需要施設３は、たとえば、一般家庭等、契約電力の小さい小口需要家によって運営される施設であり、コジェネレーション機器２５１を制御可能な需要家装置２０２が用いられており、コジェネレーション機器２５１が設けられている。
【０１６６】
電力需要施設９は、たとえば、ビルまたは工場等、契約電力の大きい大口需要家によって運営される施設であり、ＥＭＳに対応する需要家装置２１２が用いられており、１または複数の制御可能な負荷２６１が設けられている。なお、電力需要施設９は、小口需要家によって運営される施設であってもよい。
【０１６７】
電力消費管理装置１０１は、１または複数の電力需要施設９における需要家装置２１２と通信を行なうことにより、各需要家装置２１２が用いられる電力需要施設９における電力消費を管理する。
【０１６８】
電力消費管理装置１０１は、系統側管理装置２０１から受信した電力管理情報に基づいて、電力需要施設９における電力消費の抑制を要求するための指示情報を作成し、作成した指示情報を１または複数の電力需要施設９における需要家装置２１２へ送信する。
【０１６９】
指示情報は、たとえば、電力需要施設９が参加可能な節電イベントの内容を示す。具体的には、指示情報は、電力需要施設９において消費電力を削減すべき期間である節電期間、および当該節電期間において削減すべき消費電力の目標である節電目標を示す。
【０１７０】
需要家装置２１２は、電力需要施設９における負荷２６１すなわち電気機器の動作を制御することによって消費電力の削減を図るためのＢＥＭＳ（Ｂｕｉｌｄｉｎｇ  Ｅｎｅｒｇｙ  Ｍａｎａｇｅｍｅｎｔ  Ｓｙｓｔｅｍ）、ＨＥＭＳ（Ｈｏｍｅ  Ｅｎｅｒｇｙ  Ｍａｎａｇｅｍｅｎｔ  Ｓｙｓｔｅｍ）またはＦＥＭＳ（Ｆａｃｔｏｒｙ  Ｅｎｅｒｇｙ  Ｍａｎａｇｅｍｅｎｔ  Ｓｙｓｔｅｍ）等のシステムにおいて用いられる装置であり、たとえばアグリゲータ６によって導入される。
【０１７１】
需要家装置２１２は、電力消費管理装置１０１から受信した指示情報に基づいて、負荷２６１を制御する。具体的には、たとえば、需要家装置２１２は、負荷２６１である空調の設定温度を２℃上昇させたり、負荷２６１である廊下照明をオフしたりする制御を行なう。
【０１７２】
なお、電力消費管理装置１０１は、上記のような負荷２６１の制御内容を示す指示情報を需要家装置２１２へ送信する構成であってもよい。この場合、電力消費管理装置１０１は、たとえば、上記制御内容を需要家装置２１２ごとに区別してデータベース等に保存する。
【０１７３】
電力消費管理システム３０２では、電力消費管理装置１０１における指示作成部２５および指示通知部２６は、電力管理情報取得部２４によって電力管理情報が取得された場合に、電力需要施設９において用いられる需要家装置２１２に、電力消費の抑制を要求するための指示情報を通知する。
【０１７４】
参加判断部２２は、各電力需要施設９による、電力管理情報の示す目標の達成を判断する。
【０１７５】
指示作成部２５および指示通知部２６は、当該目標を達成できないと参加判断部２２が判断した場合、コジェネレーション機器２５１が設けられている電力需要施設３において用いられる需要家装置２０２に、電力消費の抑制を要求するための指示情報を通知する。
【０１７６】
より詳細には、電力消費管理装置１０１は、系統側管理装置２０１からのインセンティブ情報、および取引市場装置１６１からの取引価格情報に基づいて、電力需要施設９における電力消費の削減の対価を示す対価情報を作成し、指示情報の送信先である需要家装置２１２へ送信する。
【０１７７】
対価情報は、たとえば、電力需要施設９が節電イベントに参加した場合に、たとえば電力需要施設９において削減された消費電力量に応じた、当該電力需要施設９に与えられる消費電力の削減の対価を示す。
【０１７８】
需要家装置２１２は、電力消費管理装置１０１から受信した指示情報に基づいて、指示情報の示す節電イベントに電力需要施設９が参加すべきか否かを判断し、判断結果を示す指示応答情報を電力消費管理装置１０１へ送信する。つまり、指示応答情報は、電力需要施設９が節電イベントに参加するか否かを示す。
【０１７９】
需要家装置２１２は、たとえば、節電イベントに参加する旨を示す指示応答情報に、節電期間において自己の電力需要施設９で削減される予定の消費電力量を示す削減量情報を含めて送信する。
【０１８０】
電力消費管理装置１０１は、各需要家装置２０２および各需要家装置２１２から受信した指示応答情報に基づいて、アグリゲータ６が電力管理情報の示す節電イベントに参加するか否かを判断する。具体的には、たとえば、電力消費管理装置１０１は、各指示応答情報の含む削減量情報に基づいて、要請目標を達成できると判断した場合に、節電イベントに参加すると判断する。
【０１８１】
また、電力消費管理装置１０１は、アグリゲータ６が節電イベントに参加するか否かを示す要請応答情報を系統側管理装置２０１へ送信する。電力消費管理装置１０１は、たとえば、節電イベントに参加する旨を示す要請応答情報に、各電力需要施設３および各電力需要施設９において削減される予定の消費電力量の合計値を示す総削減量情報を含めて送信する。
【０１８２】
すなわち、電力需要施設９が節電イベントに参加できるのは、たとえば、当該電力需要施設９の需要家装置２１２が節電イベントに参加すると判断し、かつアグリゲータ６における電力消費管理装置１０１が節電イベントに参加すると判断した場合である。
【０１８３】
たとえば、需要家装置２１２が節電イベントに参加すると判断した場合であっても、電力消費管理装置１０１が節電イベントに参加しないと判断した場合、当該需要家装置２１２に対応する電力需要施設９は節電イベントに参加できない。
【０１８４】
なお、電力消費管理装置１０１は、系統側管理装置２０１、各需要家装置２０２、各需要家装置２１２および取引市場装置１６１と直接接続される構成に限らず、他の装置を介して接続される構成であってもよい。
【０１８５】
［動作］
次に、本発明の第２の実施の形態に係る電力消費管理システムが電力消費の抑制を行なう際の動作について説明する。
【０１８６】
電力消費管理システム３０２における各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１８７】
図９は、本発明の第２の実施の形態に係る電力消費管理装置による電力管理情報の処理の手順を定めたフローチャートである。
【０１８８】
図９を参照して、まず、電力消費管理装置１０１は、たとえば、要請期間および要請目標を示す電力管理情報を系統側管理装置２０１から受信する（ステップＳ５１）。
【０１８９】
次に、電力消費管理装置１０１は、電力管理情報の示す要請目標に基づいて需要家装置２１２ごとの節電目標を示す指示情報を作成し、配下の各需要家装置２１２へ送信する（ステップＳ５２）。
【０１９０】
次に、電力消費管理装置１０１は、各需要家装置２１２から受信した応答情報に基づいて、系統側管理装置２０１から受信した電力管理情報の示す要請目標を達成できるか否かの判断を行なう。たとえば、電力消費管理装置１０１は、所定数以上の需要家装置２１２から節電イベントに参加する旨を示す応答情報を受信した場合、要請目標を達成できると判断する（ステップＳ５３）。
【０１９１】
電力消費管理装置１０１は、要請目標を達成できないと判断した場合（ステップＳ５３でＮＯ）、電力管理情報の示す要請目標に基づいて需要家装置２０２ごとの節電目標を示す指示情報を作成し、配下の各需要家装置２０２へ送信する（ステップＳ５４）。
【０１９２】
次に、電力消費管理装置１０１は、各需要家装置２０２および各需要家装置２１２から受信した応答情報に基づいて、系統側管理装置２０１から受信した電力管理情報の示す要請目標を達成できるか否かの判断を行なう。たとえば、電力消費管理装置１０１は、所定数以上の需要家装置２０２から節電イベントに参加する旨を示す応答情報を受信した場合、要請目標を達成できると判断する（ステップＳ５５）。
【０１９３】
電力消費管理装置１０１は、要請目標を達成できると判断した場合（ステップＳ５３でＹＥＳまたはステップＳ５５でＹＥＳ）、節電量を集計する、具体的には、要請期間において各電力需要施設３および９で削減される予定の消費電力量の合計値を算出する（ステップＳ５６）。
【０１９４】
次に、電力消費管理装置１０１は、各電力需要施設３および９から提供されたネガワットの演算処理を行なう、すなわち卸電力市場８において得られるネガワットの対価を算出する（ステップＳ５７）。
【０１９５】
次に、電力消費管理装置１０１は、節電に対するインセンティブの取得処理を行なう、すなわち節電要請の対象期間において節電が行われたことに対する電力系統側５からの報酬を示すインセンティブ情報を取得する（ステップＳ５８）。
【０１９６】
一方、電力消費管理装置１０１は、節電目標を達成できないと判断した場合（ステップＳ５３でＮＯかつステップＳ５５でＮＯ）、電力系統側５へのペナルティの支払い処理を行なう、たとえば、節電要請の対象期間において節電が行われなかったことに対して電力系統側５へ支払うべき金額を算出する（ステップＳ５９）。
【０１９７】
図１０は、本発明の第２の実施の形態に係る電力消費管理システムにおける電力消費の抑制処理のシーケンスの一例を示す図である。図１０は、一例として、電力消費管理システム３０２において１つの需要家装置２０２および１つの需要家装置２１２が設けられる場合を示している。
【０１９８】
電力消費管理装置１０１は、電力消費の目標を示す電力管理情報を受信して、電力需要施設９において用いられる需要家装置２１２へ、電力消費の抑制を要求するための指示情報を送信する。
【０１９９】
電力需要施設９において用いられる需要家装置２１２は、電力消費管理装置１０１から指示情報を受信して、受信した指示情報に対する応答情報を電力消費管理装置１０１へ送信する。
【０２００】
電力消費管理装置１０１は、電力需要施設９において用いられる需要家装置２１２から応答情報を受信して、コジェネレーション機器２５１が設けられている電力需要施設３において用いられる需要家装置２０２へ、電力消費の抑制を要求するための指示情報を送信する。
【０２０１】
具体的には、図１０を参照して、ステップＳ７０〜Ｓ７２の動作は、図６に示すステップＳ１０〜Ｓ１２の動作と同様である。
【０２０２】
次に、電力消費管理装置１０１は、系統側管理装置２０１から受信した電力管理情報に基づいて、電力需要施設９における電力消費の抑制を要求するための指示情報を作成する。また、電力消費管理装置１０１は、系統側管理装置２０１から受信したインセンティブ情報および取引市場装置１６１から受信した取引価格情報に基づいて、電力需要施設９における電力消費の削減の対価を示す対価情報を作成する。そして、電力消費管理装置１０１は、作成した指示情報および対価情報を需要家装置２１２へ送信する（ステップＳ７３）。
【０２０３】
なお、電力消費管理装置１０１は、取引市場装置１６１から定期的または不定期に最新の取引価格情報を取得し、取得した取引価格情報に基づいて対価情報を更新し、更新するたびに更新後の対価情報、すなわち最新の対価情報を需要家装置２１２へ送信してもよい。
【０２０４】
次に、需要家装置２１２は、電力消費管理装置１０１から指示情報および対価情報を受信して、受信した指示情報および対価情報に基づいて、受信した指示情報の示す節電目標を受け入れるか否かの判断を行なう（ステップＳ７４）。
【０２０５】
次に、需要家装置２１２は、受信した指示情報の示す節電目標を受け入れ不可であると判断し、節電イベントに参加しない旨を示す指示応答情報を電力消費管理装置１０１へ送信する（ステップＳ７５）。
【０２０６】
次に、電力消費管理装置１０１は、需要家装置２１２から節電イベントに参加しない旨を示す指示応答情報を受信して、電力管理情報の示す要請目標を達成できないと判断する。そして、電力消費管理装置１０１は、系統側管理装置２０１から受信した電力管理情報に基づいて、電力需要施設３における電力消費の抑制を要求するための指示情報を作成する。また、電力消費管理装置１０１は、系統側管理装置２０１から受信したインセンティブ情報および取引市場装置１６１から受信した取引価格情報に基づいて、電力需要施設３における電力消費の削減の対価を示す対価情報を作成する。そして、電力消費管理装置１０１は、作成した指示情報および対価情報を需要家装置２０２へ送信する（ステップＳ７６）。
【０２０７】
なお、電力消費管理装置１０１は、取引市場装置１６１から定期的または不定期に最新の取引価格情報を取得し、取得した取引価格情報に基づいて対価情報を更新し、更新するたびに更新後の対価情報、すなわち最新の対価情報を需要家装置２０２へ送信してもよい。
【０２０８】
次に、需要家装置２０２は、電力消費管理装置１０１から指示情報および対価情報を受信して、受信した指示情報および対価情報に基づいて、対応の電力需要施設３におけるコジェネレーション機器２５１を起動するための判断処理を行なう（ステップＳ７７）。
【０２０９】
次に、需要家装置２０２は、判断処理において、コジェネレーション機器２５１を起動すると判断し、指示情報の示す節電イベントに参加する旨を示す指示応答情報を電力消費管理装置１０１へ送信する（ステップＳ７８）。
【０２１０】
次に、電力消費管理装置１０１は、需要家装置２０２から指示応答情報を受信して、電力管理情報の示す節電イベントにアグリゲータ６が参加するか否かを判断する（ステップＳ７９）。具体的には、電力消費管理装置１０１は、受信した指示応答情報に含まれる削減量情報に基づいて、電力管理情報の示す要請目標を達成可能か否かを判断する。
【０２１１】
電力消費管理装置１０１は、要請目標を達成可能であると判断した場合、系統側管理装置２０１へ電力管理情報の示す節電イベントに参加する旨を示す要請応答情報を送信する（ステップＳ８０）。
【０２１２】
たとえば、電力消費管理装置１０１は、当該判断を電力管理情報の示す要請期間が始まる所定時間前の時刻に行なう。
【０２１３】
また、電力消費管理装置１０１は、節電イベントに参加すると判断した場合、自己へ節電イベントに参加する旨を示す指示応答情報を送信した需要家装置２０２へアグリゲータ参加情報を送信する（ステップＳ８１）。
【０２１４】
ステップＳ８２〜Ｓ８４の動作は、図６に示すステップＳ１９〜Ｓ２１の動作と同様である。
【０２１５】
なお、電力消費管理装置１０１から需要家装置２１２へ送信される指示情報および需要家装置２０２へ送信される指示情報の内容は、同じであってもよいし、異なっていてもよい。
【０２１６】
また、複数の需要家装置２１２および複数の需要家装置２０２を備える電力消費管理システム３０２において、電力消費管理装置１０１は、各需要家装置２１２から受信した指示応答情報に含まれる削減量情報に基づいて、電力管理情報の示す要請目標を達成不可であると判断した場合、たとえば、節電イベントに参加する旨を示す指示応答情報を送信した１または複数の需要家装置２１２からの削減量情報の示す消費電力量と、節電イベントに参加する旨を示す指示応答情報を送信した１または複数の需要家装置２０２からの削減量情報の示す消費電力量との合計に基づいて、電力管理情報の示す要請目標を達成可能か否かを判断すればよい。
【０２１７】
以上のように、本発明の第２の実施の形態に係る電力消費管理装置では、電力管理情報取得部２４は、電力消費の目標を示す電力管理情報を取得する。指示作成部２５および指示通知部２６は、電力管理情報取得部２４によって電力管理情報が取得された場合に、電力需要施設９において用いられる需要家装置２１２に、電力消費の抑制を要求するための指示情報を通知する。参加判断部２２は、電力需要施設９による、電力管理情報の示す目標の達成を判断する。そして、指示作成部２５および指示通知部２６は、当該目標を達成できないと参加判断部２２が判断した場合、コジェネレーション機器２５１が設けられている電力需要施設３において用いられる需要家装置２０２に、電力消費の抑制を要求するための指示情報を通知する。
【０２１８】
また、本発明の第２の実施の形態に係る電力消費管理システムでは、電力消費管理装置１０１は、電力消費の目標を示す電力管理情報を受信して、電力需要施設９において用いられる需要家装置２１２へ、電力消費の抑制を要求するための指示情報を送信する。電力需要施設９において用いられる需要家装置２１２は、電力消費管理装置１０１から指示情報を受信して、受信した指示情報に対する応答情報を電力消費管理装置１０１へ送信する。そして、電力消費管理装置１０１は、電力需要施設９において用いられる需要家装置２１２から応答情報を受信して、コジェネレーション機器２５１が設けられている電力需要施設３において用いられる需要家装置２０２へ、電力消費の抑制を要求するための指示情報を送信する。
【０２１９】
このような構成により、たとえば、デマンドレスポンス、ネガワットおよびコジェネレーションが連携する優れたシステムを構築することができる。すなわち、コジェネレーションシステム単体にとどまらず、たとえばデマンドレスポンスの情報を考慮して、全体として最適化されたシステムを構築し、ネガワットを達成することができる。具体的には、コジェネレーション機器２５１を予定通りのタイミングで起動するのではなく、節電要請に応答して予定外のタイミングで起動し、節電要請に対してコジェネレーション機器２５１を有効に活用することができる。
【０２２０】
したがって、本発明の第２の実施の形態に係る電力消費管理装置および電力消費管理システムでは、節電要請に従った電力消費の抑制をより確実に行なうことができる。
【０２２１】
また、たとえば、大口需要家のみでは節電要請を達成できない場合に、不足分を一般家庭等のコジェネレーションシステムを用いて節電を行ない、ネガワットを達成することができる。すなわち、大口需要家のみでは節電要請を達成できない場合に、小口需要家の節電量をまとめることで不足分を補う新たな節電手段を提供することができる。
【０２２２】
また、たとえば、最初に契約電力の大きい大口需要家に節電要請を行ない、大口需要家のみでは節電要請を達成できない場合に小口需要家に節電要請を行なうことができるため、効率の良い節電要請を行なうことができる。
【０２２３】
すなわち、節電要請に従わない需要家が相当数存在する場合を想定して、節電要請の達成方法の幅を広げることができ、節電要請が達成できなくなる可能性を低くすることができる。
【０２２４】
また、大口需要家および小口需要家の順に節電要請がなされることにより、各需要家を区別せずに節電要請を行なう構成と比べて、小口需要家に対して節電要請がなされる確率が低くなり、大口需要家によって節電要請を達成できる場合には、電力使用および湯水の使用等に関して小口需要家が制限を受けることを防ぐことができる。
【０２２５】
また、小口需要家が節電要請に対して個別事情により従わないことが想定されるところ、たとえば、多数の小口需要家に節電要請を行なうことにより、システム全体において節電量を少しずつ積み上げることができるため、節電要請を達成できない可能性を低くすることができる。
【０２２６】
その他の構成および動作は第１の実施の形態に係る電力消費管理システムと同様であるため、ここでは詳細な説明を繰り返さない。
【０２２７】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２２８】
以上の説明は、以下に付記する特徴を含む。
【０２２９】
［付記１］
電力需要施設において用いられる需要家装置であって、
電力消費の抑制を要求するための指示情報を取得する取得部と、
前記取得部によって前記指示情報が取得されたことに応答して、前記電力需要施設におけるコジェネレーション機器を起動するための処理を開始する制御部とを備え、
前記電力需要施設は、契約電力の小さい小口需要家によって運営される施設であり、
前記指示情報は、電力系統側から通知された電力消費の目標を示す電力管理情報に基づいて電力消費管理装置において作成され、
契約電力の大きい大口需要家に対応する前記電力需要施設による前記目標の達成ができないと判断された場合に、前記指示情報が前記電力消費管理装置から前記需要家装置に通知される、需要家装置。
【０２３０】
［付記２］
電力需要施設における電力消費を管理する電力消費管理装置であって、
電力消費の目標を示す電力管理情報を取得する取得部と、
前記取得部によって前記電力管理情報が取得された場合に、第１の電力需要施設において用いられる需要家装置に、電力消費の抑制を要求するための指示情報を通知する指示部と、
前記第１の電力需要施設による前記目標の達成を判断する判断部とを備え、
前記指示部は、前記目標を達成できないと前記判断部が判断した場合、コジェネレーション機器が設けられている第２の電力需要施設において用いられる需要家装置に、電力消費の抑制を要求するための指示情報を通知し、
前記電力管理情報は電力系統側から前記電力消費管理装置に通知され、
前記第１の電力需要施設は、契約電力の大きい大口需要家によって運営される施設であり、
前記第２の電力需要施設は、契約電力の小さい小口需要家によって運営される施設である、電力消費管理装置。
【０２３１】
［付記３］
電力需要施設における電力消費を管理する電力消費管理装置と、
前記電力需要施設において用いられる需要家装置とを備え、
前記電力消費管理装置は、電力消費の目標を示す電力管理情報を受信して、第１の電力需要施設において用いられる需要家装置へ、電力消費の抑制を要求するための指示情報を送信し、
前記第１の電力需要施設において用いられる需要家装置は、前記電力消費管理装置から前記指示情報を受信して、受信した前記指示情報に対する応答情報を前記電力消費管理装置へ送信し、
前記電力消費管理装置は、前記第１の電力需要施設において用いられる需要家装置から前記応答情報を受信して、コジェネレーション機器が設けられている第２の電力需要施設において用いられる需要家装置へ、電力消費の抑制を要求するための指示情報を送信し、
前記電力管理情報は電力系統側から前記電力消費管理装置へ送信され、
前記第１の電力需要施設は、契約電力の大きい大口需要家によって運営される施設であり、
前記第２の電力需要施設は、契約電力の小さい小口需要家によって運営される施設である、電力消費管理システム。
【符号の説明】
【０２３２】
１１  取得部
１２  制御部
１３  通知部
１４  センサ
１５  記憶部
２１  要請応答通知部
２２  参加判断部
２３  指示応答取得部
２４  電力管理情報取得部
２５  指示作成部（指示部）
２６  指示通知部（指示部）
２７  報酬情報取得部
２８  対価情報作成部
２９  市場情報取得部
３０  対価情報通知部
３１  参加通知部
１０１  電力消費管理装置
１６１  取引市場装置
２０１  系統側管理装置
２０２，２１２  需要家装置
２５１  コジェネレーション機器
２６１  負荷
３０１  電力消費管理システム
【図１】
2016116424.tif 000003
【図２】
2016116424.tif 000004
【図３】
2016116424.tif 000005
【図４】
2016116424.tif 000006
【図５】
2016116424.tif 000007
【図６】
2016116424.tif 000008
【図７】
2016116424.tif 000009
【図８】
2016116424.tif 000010
【図９】
2016116424.tif 000011
【図１０】
2016116424.tif 000012